(57)【特許請求の範囲】
【請求項１】
ケースの内部にコネクタを挿入し、挿入方向と直交する方向を向いた前記コネクタの相手コネクタに対する嵌合面を、ケースに形成した開口よりケース外部に臨ませたケースとコネクタの組付構造であって、
前記ケースの内面にコネクタの挿入方向に対して傾斜した傾斜壁を設け、該傾斜壁に前記開口を形成すると共に、コネクタの前記嵌合面の外周側に、ケースにコネクタを組み付けた際に前記傾斜壁と対面する環状の傾斜フランジを設け、前記傾斜壁と環状の傾斜フランジとの間に、前記開口の周囲及び前記コネクタの外周の回りに沿って連続する環状のシール部材を介在させ、前記コネクタを挿入方向に押し付けてケースに固定することで、前記環状のシール部材を傾斜壁と環状の傾斜フランジとの間に押圧したことを特徴とするケースとコネクタの組付構造。
【請求項２】
請求項１記載のケースとコネクタの組付構造であって、
前記コネクタがコネクタ挿入方向と直交する面方向に広がる基板に固定されており、該基板をケースにネジで締結した際の締結操作により、前記環状のシール部材を傾斜壁と環状の傾斜フランジとの間に押圧したことを特徴とするケースとコネクタの組付構造。
【発明の詳細な説明】
【０００１】
【発明の属する技術分野】
本発明は、例えば、自動車用の電子コントロールユニット（ＥＣＵ）等におけるケースとコネクタの防水性を確保した組付構造に関する。
【０００２】
【従来の技術】
図３は特開平１０−１７２６４３号公報に記載された従来のケースとコネクタの組付構造を示す断面図である。
【０００３】
この組付構造では、ケース１にコネクタ２を組み付ける際に、コネクタ２側の凸部３の外周に環状のシール部材４を嵌めた状態で、ケース１の開口５にコネクタ２の凸部３を挿入し、その状態で、コネクタ２をケース１にネジ止めすることにより、シール部材４によって、ケース１とコネクタ２間をシールしている。
【０００４】
【発明が解決しようとする課題】
ところが、上記従来の組付構造においては、コネクタ２の凸部３をケース１に挿入する際に、シール部材４にケース１の開口端が擦れたり、引っ掛かったりする可能性があるので、シール部材４に傷がついたり、ずれが発生したりし、シールの信頼性が低下するおそれがあった。また、ケース１やコネクタ２に対するシール部材４の押圧力は、主としてコネクタ２の凸部３の外周寸法に依存するために、シール性能のバラツキが大きかった。
【０００５】
本発明は、上記事情を考慮し、シール部材に傷がついたり、ずれが発生したりせず、バラツキの少ない高いシール性能を維持することができるケースとコネクタの組付構造を提供することを目的とする。
【０００６】
【課題を解決するための手段】
請求項１の発明は、ケースの内部にコネクタを挿入し、挿入方向と直交する方向を向いた前記コネクタの相手コネクタに対する嵌合面を、ケースに形成した開口よりケース外部に臨ませたケースとコネクタの組付構造であって、前記ケースの内面にコネクタの挿入方向に対して傾斜した傾斜壁を設け、該傾斜壁に前記開口を形成すると共に、コネクタの前記嵌合面の外周側に、ケースにコネクタを組み付けた際に前記傾斜壁と対面する環状の傾斜フランジを設け、前記傾斜壁と環状の傾斜フランジとの間に、前記開口の周囲及び前記コネクタの外周の回りに沿って連続する環状のシール部材を介在させ、前記コネクタを挿入方向に押し付けてケースに固定することで、前記環状のシール部材を傾斜壁と環状の傾斜フランジとの間に押圧自在にしたことを特徴とする。
【０００７】
この組付構造では、コネクタをケースの内部に一定の挿入方向に沿って挿入すると、ケース内面の傾斜壁にコネクタの環状の傾斜フランジが接近し、環状のシール部材が傾斜壁と環状の傾斜フランジ間に挟まれる。そして、コネクタをケースに挿入方向に押し付けながら固定することで、傾斜壁と環状の傾斜フランジが一定の間隔で対向し合い、それにより環状のシール部材が傾斜壁と環状の傾斜フランジ間に一定の力で押圧される。
【０００８】
この状態で、ケースの傾斜壁に設けた開口から、挿入方向と直交する方向を向いたコネクタの嵌合面がケース外部に臨み、その嵌合面に対して相手コネクタを嵌合できるようになる。しかも、開口の周囲には、該開口の周囲に沿って連続する環状のシール部材が傾斜壁と環状の傾斜フランジ間に挟まれながら存在するので、この環状のシール部材により、コネクタとケースの隙間がシールされ、ケース内部が防水空間として維持される。
【０００９】
この場合、コネクタを挿入方向に移動することで、傾斜壁と環状の傾斜フランジが面と面で接近して環状のシール部材を挟むので、従来の組付構造のように、ケースの開口端でシール部材を擦ったり引っ掛けたりすることがなく、シール部材に傷がついたり、ずれが生じたりすることがなくなる。また、面と面の接近によってシール部材に圧接力が加わるので、コネクタをケースに固定する際の締結力によってシール面を安定的に保持することができる。従って、バラツキのない信頼性の高いシール性能を発揮することができる。
【００１０】
請求項２の発明は、請求項１記載のケースとコネクタの組付構造であって、前記コネクタがコネクタ挿入方向と直交する面方向に広がる基板に固定されており、該基板をケースにネジで締結した際の締結操作により、前記環状のシール部材を傾斜壁と環状の傾斜フランジとの間に押圧自在にしたことを特徴とする。
【００１１】
この組付構造では、コネクタの付いた基板をケースに固定するという通常の操作を行うだけで、一定のシール性能を維持しながら、コネクタをケースに組み付けることができる。
【００１２】
【発明の実施の形態】
以下、本発明の実施形態を図面に基づいて説明する。
【００１３】
図１は本発明の実施形態のケースとコネクタの組付構造を示す断面図、図２は同コネクタのみの外観を示す斜視図である。
【００１４】
図において、１１は合成樹脂製のケース、１２は合成樹脂製のコネクタ、２１は基板である。コネクタ１２は、基板２１の端部上面にネジ２２で固定されている。ケース１１は下面が開放し、その他の面が壁で覆われた箱形のもので、下方から上方に向かう挿入方向Ａに沿って、コネクタ１２の付いた基板２１を挿入し組み付けられるようになっている。
【００１５】
コネクタ１２は、挿入方向Ａと直交する方向に相手コネクタとの嵌合面１２Ａを向けて基板２１に取り付けられている。また、基板２１は挿入方向Ａと直交する平面に平行な姿勢のまま、挿入方向Ａに沿ってケース１１内に移動することにより、ケース１１の天井面に下向きに突設したボス部１５の下面にネジ２３で固定できるようになっている。
【００１６】
ケース１１の内面には、コネクタ１２の挿入方向Ａに対して傾斜した傾斜壁１３が設けられ、該傾斜壁１３には、コネクタ１２の嵌合面１２Ａをケース１１の外部に対して突き出させるための開口１４が形成されている。また、コネクタ１２には、図２に示すように、相手コネクタに対する嵌合面１２Ａの外周側に位置させて、ケース１１にコネクタ１２を組み付けた際に前記傾斜壁１３と対面する環状の傾斜フランジ１８が設けられている。
【００１７】
そして、傾斜壁１３と傾斜フランジ１８との間に、開口１４の周囲及びコネクタ１２の外周の回りに沿って連続するＯリング状（環状）のシール部材２０が介在され、コネクタ１２を固定した基板２１を、挿入方向Ａに押し付けて、ケース１１のボス部１５の下面にネジ２３で固定することにより、シール部材２０が、傾斜壁１３と傾斜フランジ１８との間に押圧状態で挟まれている。この場合、基板２１をケース１１にネジ２３で締結した際の締結操作により、シール部材２０が、傾斜壁１３と傾斜フランジ１８との間に一定の圧縮状態で挟まれている。
【００１８】
この組付構造を構成するには、コネクタ１２を取り付けた基板２１を、ケース１１の内部に一定の挿入方向Ａに沿って挿入する。そうすると、ケース１１の内面の傾斜壁１３に、コネクタ１２の傾斜フランジ１８が接近し、傾斜壁１３と傾斜フランジ１８間に予めセットされたシール部材２０が、傾斜壁１３と傾斜フランジ１８間に挟まれる。そして、基板２１をケース１１のボス部１５の下面にネジ２３で固定することにより、傾斜壁１３と傾斜フランジ１８が一定の間隔で対向し合い、それによりシール部材２０が傾斜壁１３と傾斜フランジ１８の間に一定の押圧状態で挟まれる。
【００１９】
この状態で、ケース１１の傾斜壁１３に設けた開口１４から、挿入方向Ａと直交する方向を向いたコネクタの嵌合面１２Ａがケース１１の外部に突き出し、その嵌合面１２Ａに対して相手コネクタを嵌合できるようになる。
【００２０】
しかも、開口１４の周囲には、シール部材２０が傾斜壁１３と傾斜フランジ１８間に挟まれながら存在するので、このシール部材２０により、コネクタ１２とケース１１の隙間がシールされ、ケース１１の内部が防水された空間として維持される。
【００２１】
この場合、コネクタ１２の付いた基板２１をケース１１に一定の方向から固定するという通常の操作を行うだけで、傾斜壁１３と傾斜フランジ１８が面と面で接近してシール部材２０を挟むので、シール部材２０を擦ったり引っ掛けたりすることがなく、シール部材２０に傷がついたり、ずれが生じたりすることがなくなる。また、傾斜壁１３と傾斜フランジ１８の面と面の接近によってシール部材２０に圧接力が加わるので、コネクタ１２をケース１１に固定する際のネジ２３の締め付け力によって、シール面を安定的に保持することができる。従って、バラツキのない信頼性の高いシール性能を発揮することができる。
【００２２】
【発明の効果】
以上説明したように、請求項１の発明によれば、ケースの傾斜壁とコネクタの環状の傾斜フランジの面と面で環状のシール部材を挟むので、従来の組付構造のように、シール部材を擦ったり引っ掛けたりすることがなく、シール部材に傷がついたり、ずれが生じたりすることがなくなる。また、面と面の接近でシール部材に圧接力を働かせるので、シール面を安定的に保持することができ、バラツキのない信頼性の高いシール性能を発揮することができる。
【００２３】
請求項２の発明によれば、コネクタの付いた基板をケースに固定するという通常の操作を行うだけで、簡単に高いシール性能を維持しながら、コネクタをケースに組み付けることができる。
【図面の簡単な説明】
【図１】本発明の実施形態の断面図である。
【図２】本発明の実施形態におけるコネクタの斜視図である。
【図３】従来のケースとコネクタの組付構造の例を示す断面図である。
【符号の説明】
１１  ケース
１２  コネクタ
１２Ａ  嵌合面
１３  傾斜壁
１４  開口
１８  傾斜フランジ
２０  シール部材
２１  基板
２３  ネジ
Ａ  挿入方向
【図１】
0004149633.tif 000002
【図２】
0004149633.tif 000003
【図３】
0004149633.tif 000004